(57)【要約】【課題】  磁石式羽根車の裏側に回り込んだ液体を積極的に排出することで、衛生の向上を図るととに、ポンプ効率の低下を回避することができるポンプの磁石式羽根車を提供する。【解決手段】  ポンプの磁石式羽根車１は、複数の羽根車翼２ａを有する合成樹脂製の本体部２と、本体部２の軸方向一端側に偏って設けた磁石部３とを備え、磁石部３の裏側には、ラジアル方向にのびる４つの溝４が設けられている。この磁石式羽根車１は、ポンプケーシングの内部に回転自在に収容される。この状態で、磁石部３は隔壁を介してモータの駆動軸に装着した磁石に対向し、モータの回転を電磁結合により磁石式羽根車１に伝達して、該磁石式羽根車１が回転する。この際に、４つの溝４の遠心作用により磁石式羽根車１における裏側中心部の液体を積極的に径外方向に押し出して、磁石式羽根車１の裏側を負圧化する。【選択図】        図１
0003104122.tif 000002
【実用新案登録請求の範囲】
【請求項１】
モータの駆動軸に装着した磁石と、ポンプケーシング内に回転自在に収容した磁石式羽根車とを、隔壁を介して互いに対向させ、前記モータの回転を電磁結合により磁石式羽根車に伝達して、該磁石式羽根車が回転するように構成されているポンプの磁石式羽根車において、前記磁石式羽根車の裏面に、ラジアル方向にのびて該磁石式羽根車裏側中心部の液体を径外方向に流動させる溝が設けられていることを特徴とするポンプの磁石式羽根車。
【請求項２】
請求項１に記載のポンプの磁石式羽根車において、
前記磁石式羽根車が、羽根車翼を有する合成樹脂製の本体部と、この本体部の裏側に偏って前記隔壁を介して前記モータの駆動軸に装着した磁石に対向するように設けられている磁石部とで構成されていることを特徴とするポンプの磁石式羽根車。
【請求項３】
請求項２に記載のポンプの磁石式羽根車において、
前記本体部と磁石部とが一体に成形されていることを特徴とするポンプの磁石式羽根車。
【請求項４】
請求項１、請求項２または請求項３のいずれかに記載のポンプの磁石式羽根車において、
前記磁石部がプラスチックマグネットによって構成されていることを特徴とするポンプの磁石式羽根車。
【考案の詳細な説明】
【技術分野】
【０００１】
本考案は、ポンプの磁石式羽根車に関し、たとえば、電気湯沸かし器の揚湯に適用される遠心ポンプの羽根車として好適なポンプの磁石式羽根車に関するものである。
【背景技術】
【０００２】
従来より、たとえば、電気湯沸かし器の揚湯に使用される遠心ポンプが以下の特許文献１において提案されている。
【０００３】
【特許文献１】特開平１１−６４９１号公報
【０００４】
この特許文献１に記載されている液体ポンプでは、図１２に示す遠心羽根車が用いられる。この遠心羽根車５０は、フェライト粉などを混入した合成樹脂材（以下、プラスチックマグネットという）によって成形された磁石式羽根車５１と、この磁石式羽根車５１の中心部に装着した樹脂製の軸受５２とを有し、軸受５２には盲貫軸孔５３を設けた構造のものである。
【０００５】
このように、遠心羽根車５０をプラスチックマグネットによって成形された磁石式羽根車５１と、軸受５２とで構成することにより、図１３に示すように、磁石式羽根車５１と、モータ５４の駆動軸５５に装着した磁石５６とを、隔壁５７を介して互いに対向させることで、磁石５６と磁石式羽根車５１が互いに吸引することによって、モータ５４の回転を電磁結合により磁石式羽根車５１に伝達して、該磁石式羽根車５１を回転させることで、揚液（排液）することができる。
【考案の開示】
【考案が解決しようとする課題】
【０００６】
しかし、前記特許文献１に記載された従来の磁石式羽根車５１は、磁石式羽根車５１の裏側に回り込んだ液体を積極的に排出するように工夫されていないので、磁石式羽根車５１の裏側中心部に液体の澱みが発生する。したがって、この種の磁石式羽根車５１が電気湯沸かし器の揚湯に適用されると、衛生上好ましくない問題が生じるおそれを有している。
【０００７】
また、磁石式羽根車５１の裏側に回り込んだ液体が積極的に排出されないことによって、磁石式羽根車５１の裏側にプラス圧として背圧が負荷されるばかりか、磁石式羽根車５１の回転に際しては、当該磁石式羽根車５１の羽根車翼５１ａの表側（図１３の図示例では、羽根車翼５１ａの右側）の液圧が減圧されるので、磁石式羽根車５１が右側（表側）に軸方向移動する現象（因みに、磁石式羽根車５１が鉛直軸線を有して配置されておれば、磁石式羽根車５１が浮き上がる現象）が生じて、磁石式羽根車５１と磁石５６との対向距離を増大させることになる。このように、磁石式羽根車５１と磁石５６との対向距離が増大すると、両者５１、５６間の電磁結合力が低下して、磁石５６の回転に磁石式羽根車５１が追従し得なくなって、揚液効率（ポンプ効率）が低下する問題を有している。
【０００８】
本考案は、このような問題を解決するものであって、その目的とするところは、磁石式羽根車の裏側に回り込んだ液体を積極的に排出することで、衛生の向上を図ることができるとともに、ポンプ効率の低下を回避することができるポンプの磁石式羽根車を提供することにある。
【課題を解決するための手段】
【０００９】
前記目的を達成するために、本考案は、モータの駆動軸に装着した磁石と、ポンプケーシング内に回転自在に収容した磁石式羽根車とを、隔壁を介して互いに対向させ、前記モータの回転を電磁結合により磁石式羽根車に伝達して、該磁石式羽根車が回転するように構成されているポンプの磁石式羽根車において、前記磁石式羽根車の裏面に、ラジアル方向にのびて該磁石式羽根車裏側中心部の液体を径外方向に流動させる溝が設けられていることを特徴とするものである。
【００１０】
このようにすることで、磁石式羽根車が回転した際、溝の遠心作用により磁石式羽根車裏側中心部の液体が径外方向に押し出される。このため、磁石式羽根車裏側中心部に液体の澱みが発生しなくなる。また、溝の遠心作用により磁石式羽根車裏側中心部の液体が径外方向に押し出されることで、磁石式羽根車の裏側が負圧化されるので、磁石式羽根車の表側の液圧が減圧されても、磁石式羽根車裏側の負圧が表側の減圧に打ち勝って、磁石式羽根車が表側に軸方向移動するのを抑制できる。
【００１１】
また、本考案においては、磁石式羽根車が、羽根車翼を有する合成樹脂性の本体部と、この本体部の裏側に偏って前記隔壁を介して前記モータの駆動軸に装着した磁石に対向するように設けられている磁石部とで構成されている。これによると、磁石部を本体部の軸方向一端側に偏った部位のみに制限できることで、磁石式羽根車の重量を軽減するとともに、コストダウンを実現することができる。
【００１２】
さらに、本考案においては、本体部と磁石部とが一体に成形されている。これによると、本体部と磁石部とを各別に成形したのちに、これら両者を組み立てて一体に結合する手間を省くことができるとともに、両者間に生じる凹凸や隙間をなくして、磁石式羽根車の羽根車ロスを小さく抑えて、ポンプ効率を向上させるのに寄与することができる。
【００１３】
また、本考案においては、磁石部をプラスチックマグネットによって構成することが望ましい。これによると、磁石部の成形精度を向上させて、電磁結合による磁石式羽根車への回転伝達精度のバラツキを抑制することができる。
【考案の効果】
【００１４】
本考案によれば、磁石式羽根車が回転した際、溝の遠心作用により磁石式羽根車裏側中心部の液体を積極的に排出して、衛生の向上を図ることができるとともに、磁石式羽根車の表側への軸方向移動が抑制されることで、電磁結合力の低下が避けられ、ポンプ効率の低下を回避することができる。
【考案を実施するための最良の形態】
【００１５】
図１は、本考案に係るポンプの磁石式羽根車の第１実施形態を示す縦断正面図、図２は図１の平面図、図３は図１の底面図である。これらの図において、ポンプの磁石式羽根車１は、複数の羽根車翼２ａ，２ａ…を有する合成樹脂製の本体部２と、この本体部２の軸方向一端側に偏って設けられている磁石部３とを備えている。
【００１６】
合成樹脂製の本体部２は、たとえば、ＰＰＳ（ポリフェニレンサルファイド）など耐熱水性の良い樹脂によって成形された４枚の羽根車翼２ａ，２ａ…を有する円盤状の基体２Ａと、この基体２Ａの中心部に設けられた軸受２Ｂとを有し、軸受２Ｂには盲貫軸孔２ｂを設けてある。
【００１７】
磁石部３は、フェライト粉などを混入したプラスチックマグネットによって成形され、本体部２における基体２Ａの裏面に設けてある。
【００１８】
一方、磁石部３の裏側には、ラジアル方向にのびる４つの溝４が円周方向等間隔で設けられている。また、図４に示すように、磁石部３と合成樹脂製の本体部２の両者の裏側に連通して、たとえば４つの溝４を設けてもよい。さらに、図５に示すように、全てがプラスチックマグネットによって成形された磁石式羽根車１（従来の磁石式羽根車５１に相当する）の裏側に４つの溝４を設けてもよい。なお、溝４の数は前記４つに限定されるものではなく、それ以外の任意の数を選択して設定することができる。
【００１９】
前記構成のポンプの磁石式羽根車１において、たとえば、図１〜図３で説明した磁石式羽根車１は、図６〜図８に示すように、たとえば電気湯沸かし器の揚湯に適用される遠心ポンプの羽根車として活用される。図６〜図８において、５はモータ、６はモータケーシング、７は隔壁、８はポンプケーシングを示し、モータ５の駆動軸５Ａには磁石９が装着されている。本考案に係るポンプの磁石式羽根車１は、ポンプケーシング８の内部に回転自在に収容される。すなわち、隔壁７の中心部にインサート成形によって装着された固定軸１０の先端部を軸受２Ｂの盲貫軸孔２ｂに回転自在に挿入するとともに、支持用の突起２ｃをポンプケーシング８における吸込口１１側のリブ１２の凸面１２ａに回転自在に当接させることによって、隔壁７を介して磁石部３とモータ５の駆動軸５Ａに装着した磁石９とを互いに対向させた状態で、ポンプの磁石式羽根車１をポンプケーシング８の内部に回転自在に収容してある。なお、図７，図８において、１３は吐出口を示し、ポンプケーシング８の内部に連通して、該ポンプケーシング８からその接線方向に導出されている。したがって、モータ５の回転を電磁結合により磁石部３に伝達して、ポンプの磁石式羽根車１を回転させ、吸込口１１から吸い込んだ電気湯沸かし器の湯を吐出口１３から吐出して揚湯することができる。
【００２０】
一方、前述のように、磁石式羽根車１が回転した際、４つの溝４の遠心作用により磁石式羽根車１における裏側中心部の液体が積極的に径外方向に押し出される。このため、磁石式羽根車１の裏側中心部に液体の澱みが発生しなくなって衛生の向上を図ることができる。
【００２１】
さらに、４つの溝４の遠心作用により磁石式羽根車１裏側中心部の液体が積極的に径外方向に押し出されることで、磁石式羽根車１の裏側が負圧化されるので、磁石式羽根車１における複数の羽根車翼２ａの表側（図６の図示例では、複数の羽根車翼２ａの右側）の液圧が減圧されても、磁石式羽根車１裏側の負圧が表側の減圧に打ち勝って、磁石式羽根車１が表側に軸方向移動するのを抑制できる（因みに、磁石式羽根車１が鉛直軸線を有して配置されておれば、磁石式羽根車１が浮き上がる現象を抑制できる）。このため、磁石式羽根車１における磁石部３と駆動側の磁石９との対向距離の増大が抑えられて、両者３、９間の電磁結合力の低下が回避されるので、駆動側の磁石９の回転に追従して磁石式羽根車１を回転させることによって、揚液効率（ポンプ効率）が低下するのを確実に回避することができる。
【００２２】
このような作用は、図４に示す第２実施形態の磁石式羽根車１および図５に示す第３実施形態の磁石式羽根車１においても同様に生じる。
【００２３】
また、前記第１および第２実施形態のように、プラスチックマグネットによって成形され磁石部３を本体部２の軸方向一端側に偏った部位のみに設けた構成であれば、図１２で説明した従来の磁石式羽根車５１のように、全てがプラスチックマグネットによって成形された羽根車側の磁石部として機能するように構成されているものと比較して、プラスチックマグネットの占有率が低くなるため、磁石式羽根車１の重量を軽減するとともに、コストダウンを実現することができる。また、磁石部３をプラスチックマグネットによって構成しているので、磁石部３の成形精度を向上させて、電磁結合による磁石式羽根車１への回転伝達精度のバラツキを抑制することができる。
【００２４】
さらに、図９〜図１１の実施形態に示すように、円盤状の基体２Ａと軸受２ＢとをＰＰＳ（ポリフェニレンサルファイド）樹脂によって一体に成形して本体部２を構成し、この本体部２の裏面にプラスチックマグネットによって成形された磁石部３をインサート成形によって一体に結合した構成であってもよい。すなわち、磁石部３における本体部２側の面に複数個（たとえば４個）のテーパー状の突起１４，１４…を設けておき、この磁石部３を型込めして本体部２を成形することで、合成樹脂製の本体部２と磁石部３とが一体に成形されたポンプの磁石式羽根車１を得ることができる。なお、図９〜図１１の実施形態において、図１〜図３に示す実施形態と同一部分には、同一符号を付して重複した説明は省略する。
【００２５】
このような構成であれば、本体部２と磁石部３とを各別に成形したのちに、これら両者２，３を組み立てて一体に結合する手間を省くことができるとともに、両者２，３間に生じる凹凸や隙間をなくして、磁石式羽根車１の羽根車ロスを小さく抑えて、ポンプ効率を向上させるのに寄与することができる。
【図面の簡単な説明】
【００２６】
【図１】本考案に係るポンプの磁石式羽根車の第１実施形態を示す縦断正面図である。
【図２】図１の平面図である。
【図３】図１の底面図である。
【図４】本考案の第２実施形態を示す縦断正面図である。
【図５】本考案の第３実施形態を示す縦断正面図である。
【図６】本考案の使用例を示す縦断面図である。
【図７】図６の左側面図である。
【図８】図６の右側面図である。
【図９】本考案の第４実施形態を示す縦断正面図である。
【図１０】図９の平面図である。
【図１１】図１０のＢ−Ｂ線に沿う断面図である。
【図１２】従来例の縦断正面図である。
【図１３】従来例の使用例を示す縦断面図である。
【符号の説明】
【００２７】
１  ポンプの磁石式羽根車
２  合成樹脂製の本体部（本体部）
２ａ  羽根車翼
３  磁石部
４  溝
５  モータ
５Ａ  モータの駆動軸
７  隔壁
８  ポンプケーシング
９  磁石
【図１】
0003104122.tif 000003
【図２】
0003104122.tif 000004
【図３】
0003104122.tif 000005
【図４】
0003104122.tif 000006
【図５】
0003104122.tif 000007
【図６】
0003104122.tif 000008
【図７】
0003104122.tif 000009
【図８】
0003104122.tif 000010
【図９】
0003104122.tif 000011
【図１０】
0003104122.tif 000012
【図１１】
0003104122.tif 000013
【図１２】
0003104122.tif 000014
【図１３】
0003104122.tif 000015